(57)【要約】【課題】本発明は目的の抵抗値（電圧）付近へ素早く確実に位置させることができるとともに、目視調整が可能で、各ステップの微調整の不感帯をなくすことができ、かつ接触抵抗が極めて小さくなり、設定抵抗値（電圧）の変動がきわめて小さくできる可変抵抗器を得るにある。【解決手段】ケース体の外部より、粗調整用ロータと微調整用ロータを回動操作することができる粗微動調整型の可変抵抗器において、粗調整用ロータにより調整可能な粗調整抵抗回路と、微調整用ロータにより調整可能な微調整抵抗回路とによりケルビンバーレイ回路を構成し、粗調整用ロータの全抵抗値を均等分割する複数の分割部位に、該粗調整用ロータをクリック状態で位置させることができるクリック機構とで可変抵抗器を構成している。【選択図】  図４
2006108250.tif 000002
【特許請求の範囲】
【請求項１】
ケース体の外部より、粗調整用ロータと微調整用ロータを回動操作することができる粗微動調整型の可変抵抗器において、前記粗調整用ロータにより調整可能な粗調整抵抗回路と、前記微調整用ロータにより調整可能な微調整抵抗回路とによりケルビンバーレイ回路を構成し、前記粗調整用ロータの全抵抗値を均等分割する複数の分割部位に、該粗調整用ロータをクリック状態で位置させることができるクリック機構とを設けたことを特徴とする可変抵抗器。
【請求項２】
ケース体の外部より、粗調整用ロータと微調整用ロータを回動操作することができる粗微動調整型の可変抵抗器において、前記粗調整用ロータにより調整可能な粗調整抵抗回路と、前記微調整用ロータにより調整可能な微調整抵抗回路とによりケルビンバーレイ回路を構成し、前記粗調整用ロータの全抵抗値を均等分割する複数の分割部位に、該粗調整用ロータをクリック状態で位置させることができるクリック機構とを設けるとともに、前記粗調整用ロータの位置を確認することができるインジケータを前記ケース体の表面に設けたことを特徴とする可変抵抗器。
【請求項３】
ケース体の外部より、粗調整用ロータと微調整用ロータを回動操作することができる粗微動調整型の可変抵抗器において、前記粗調整用ロータにより調整可能な粗調整抵抗回路と、前記微調整用ロータにより調整可能な微調整抵抗回路とによりケルビンバーレイ回路を構成し、前記粗調整用ロータの全抵抗値を導体を介して均等分割する複数の分割部位の導体部分に、該粗調整用ロータをクリック状態で位置させることができるクリック機構を設けたことを特徴とする可変抵抗器。
【発明の詳細な説明】
【技術分野】
【０００１】
本発明はケルビンバーレイ回路を用いた可変抵抗器に関する。
【背景技術】
【０００２】
従来の特開平８‐１５３６０９号のウオ−ムギアの回転を減速してロータに伝達する多回転型の可変抵抗器は、明確な設定位置を知ることができないとともに、目的の抵抗値付近へ素早く位置させることができないという欠点があった。
【０００３】
また、特開昭５７‐１６２３０４号の粗微動調整型の可変抵抗器は、抵抗値調整用ロータを１つしか備えておらず、このロータを直接回動させることにより粗動調整を行い、該ロータを微動可能に設けられた微動用歯車を回動させることにより、微動調整を行うように構成されているため、微動用歯車とロータとの係合にがたが生じるため、正確な抵抗値調整ができないという欠点があった。
【特許文献１】特開平８‐１５３６０９号
【特許文献２】特開昭５７‐１６２３０４号
【発明の開示】
【発明が解決しようとする課題】
【０００４】
本発明は以上のような従来の欠点に鑑み、目的の抵抗値（電圧）付近へ素早く確実に位置させることができるとともに、目視調整が可能で、各ステップの微調整の不感帯をなくすことができ、かつ接触抵抗が極めて小さくなり、設定抵抗値（電圧）の変動がきわめて小さくできる可変抵抗器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はケース体の外部より、粗調整用ロータと微調整用ロータを回動操作することができる粗微動調整型の可変抵抗器において、前記粗調整用ロータにより調整可能な粗調整抵抗回路と、前記微調整用ロータにより調整可能な微調整抵抗回路とによりケルビンバーレイ回路を構成し、前記粗調整用ロータの全抵抗値を均等分割する複数の分割部位に、該粗調整用ロータをクリック状態で位置させることができるクリック機構とで可変抵抗器を構成している。
【発明の効果】
【０００７】
以下の説明から明らかなように、本発明にあっては次に列挙する効果が得られる。
【０００８】
（１）ケース体の外部より、粗調整用ロータと微調整用ロータを回動操作することができる粗微動調整型の可変抵抗器において、前記粗調整用ロータにより調整可能な粗調整抵抗回路と、前記微調整用ロータにより調整可能な微調整抵抗回路とによりケルビンバーレイ回路を構成し、前記粗調整用ロータの全抵抗値を均等分割する複数の分割部位に、該粗調整用ロータをクリック状態で位置させることができるクリック機構とで構成したので、粗調整用ロータを全抵抗値の複数個の分割部位にクリック機構でクリック状態で位置させることができる。
したがって、目的の抵抗値（電圧）付近に素早く位置させることができる。
【０００９】
（２）請求項２も前記（１）と同様な効果が得られるとともに、粗調整用ロータの位置をインジケータで確認でき、より短時間に確実に粗調整を行なうことができる。
【００１０】
（３）請求項３も前記（１）と同様な効果が得られるとともに、粗調整用ロータの全抵抗値を導体を介して複数個に分割し、該分割部位の導体部分にクリック状態で位置させることができるので、接触抵抗が極めて小さくなり、設定抵抗値（電圧）の変動が極めて小さくできる。
【発明を実施するための最良の形態】
【００１１】
以下、図面に示す本発明を実施するための最良の形態により、本発明を詳細に説明する。
【００１２】
図１ないし図１３に示す本発明を実施するための最良の第１の形態において、１はケルビンバーレイ回路２を備える本発明の可変抵抗器で、この可変抵抗器１は上面ほぼ中央部に透孔３が形成され、底面が開口部４が形成されたケース体５と、このケース体５の透孔３より操作摘み６が外方へ突出するように回動可能に取付けられた、中央部に微調整用ロータ収納孔７を有する粗調整用ロータ８と、この粗調整用ロータ８の前記ケース体５の上面壁５ａと対向する面に、該粗調整用ロータ８の全抵抗値の複数個の分割部位に位置できる、例えば等間隔で形成された１６個のクリック凹部９と、このクリック凹部９にクリック状態で位置させることができる、前記上面壁５ａの内壁面に回動不能に取付けられたクリック凸部１０、１０を有するクリックバネ１１と、前記粗調整用ロータ８の微調整用ロータ収納孔７に収納された微調整カバー１２に回動可能に収納された、該微調整用ロータ収納孔７内に専用工具あるいはドライバー等を挿入して回動することができる係合部１３を上面に有する微調整用ロータ１４と、前記ケース体５の開口部４より位置決め状態で挿入される、ほぼ中央部に前記微調整用ロータ１４の微調整接点１５、１５を介して接触する微調整抵抗１６を設けた微調整用素子基板１７を備え、該微調整用素子基板１７の外周部に前記粗調整用ロータ８の粗調整用接点１８、１８を介して接触する粗調整抵抗１９を設けた粗調整用素子基板２０と、前記ケース体５の開口部４を密封状態で覆う裏蓋２１を用いて固定されるカバー体２２と、このカバー体２２より外方へ突出する、前記粗調整用素子基板２０の粗調整抵抗１９の両端部寄りの部位に接続された抵抗側端子２３、２３および微調整用素子基板１７の微調整抵抗１６に接続された電極側端子２４と、前記ケース体５の上面壁５ａの内壁面に形成された、前記粗調整用ロータ８の回動を規制する円弧状のガイド溝２５と、このガイド溝２５に係合する前記粗調整用ロータ８に形成されたストッパー片２６と、前記ケース体５と粗調整用ロータ８との間をシールするシール用Ｏリング２７、前記粗調整用ロータ８と前記粗調整用素子基板２０との間をシールするシール用Ｏリング２８および、前記微調整用ロータ１４と前記微調整用素子基板１７との間をシールする微調整シールＯリング２９と、前記ケース体５の上面の透孔３の外周部にプリントされた調整位置を目視するための目盛３０および粗調整用ロータ８の操作摘み６の上面に形成された方向指示の目印３１とからなるインジケータ３２とで構成されている。
【００１３】
上記構成の可変抵抗器１は、粗調整用ロータ８をインジケータ３２を見ながら所定の位置へ操作摘み６を回動させて粗調整を行なう。この時、粗調整用ロータ８はクリック凹部９と、クリックバネ１１のクリック凸部１０、１０とのクリック状態で、図１２に示すように位置決めができるため、素早く目的の抵抗値（電圧）付近に位置させることができる。
【００１４】
次に粗調整用ロータ８の微調整用ロータ収納孔７内に専用工具あるいはドライバー等を挿入して、微調整用ロータ１４を回動させることにより、図１３に示すように目的の抵抗値（電圧）に位置させることができる。
［発明を実施するための異なる形態］
【００１５】
次に、図１４ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１４ないし図１６に示す本発明を実施するための第２の形態において、前記本発明を実施するための最良の第１の形態と主に異なる点は、粗調整用ロータ８の粗調整用接点１８、１８と接触する粗調整抵抗１９Ａを導体３３を介して複数個の分割抵抗３４に分割し、該複数個の分割部位の導体３３、３３部分にクリック状態で粗調整用接点１８、１８が位置するようにした点で、このように構成した可変抵抗器１Ａにしても、前記本発明を実施するための最良の第１の形態と同様な作用効果が得られるとともに、粗調整用ロータ８の接触抵抗が極めて小さくなり、設定抵抗値（電圧）の変動が極めて小さくすることができる。
【００１７】
図１７ないし図１９に示す本発明を実施するための第３の形態において、前記本発明を実施するための第２の形態と主に異なる点は、粗調整用ロータ８の粗調整用接点１８、１８を粗調整抵抗１９Ａの２個分の部位で接触するように配置し、粗調整用ロータ８を１ステップ回動させると分割抵抗３４が１個分だけ、抵抗値が階段状に変化し、その各々のステップ状態で微調整ロータ１４の回動で微調整できるようにした点で、このように構成した可変抵抗器１Ｂにしても、前記本発明を実施するための第２の形態と同様な作用効果が得られるとともに、粗調整用ロータ８のステップ動作では分割抵抗３４が１個分だけしか抵抗値が変化しないため、微調整ロータ１４の回動で不感帯をなくすことができる。
【００１８】
なお、本発明は、粗調整用分割抵抗をＲ、微調整抵抗をｒとした場合
Ｒとｒとの比を変えることにより、図１３の矢印で示された微調整用ロータの抵抗値変化率（傾き）が変化する。
図１３の実線で示した、Ｒ＜ｒとすれば傾きが急峻となり、ハーフステップ動作（図２０参照）させなくても、不感帯を最小に抑えることができるため、図１１の回路を適用する場合、このように設定することになる。
図１３の点線で示した、Ｒ＞ｒとすれば傾きが緩やかとなり、微調整用ロータによる調整分解能を向上させることができるが、このままでは不感帯が増加するため、分割抵抗Ｒを３等分、４等分といったように細分化し、この３等分、４等分された１単位の分割抵抗分だけステップ動作（クリック動作）するように構成する必要があり、その分操作が煩雑となることから、さらなる微調整を要する特殊な場合に使用される。
２Ｒ＝ｒ（図１９）とすれば、ハーフステップ動作（図２０）により、不感帯を最小に抑えることができるとともにも、クロスオーバーもしないため、目的の抵抗値を得るためのロータ設定ポジションが１つとなり、調整の煩雑さをなくすことができる。
粗調整用ロータがステップ動作（クリック動作）するため、ロータ位置が明確となることから、回路基板の異常（各種部品の半田不良等）発見に役立てることができる。
ちなみに、粗調整用ロータをクリック動作させずに連続可変させた場合には、粗調整用ロータと微調整用ロータとの相対関係で、目的の抵抗値に対して、いくつものロータ設定ポジションが存在することとなるため、非常に操作が煩雑となり、操作に熟練を要するなど、様々な問題が生じてしまう。
【産業上の利用可能性】
【００１９】
本発明は可変抵抗器を製造する産業で利用される。
【図面の簡単な説明】
【００２０】
【図１】本発明を実施するための最良の第１の形態の平面図。
【図２】本発明を実施するための最良の第１の形態の側面図。
【図３】本発明を実施するための最良の第１の形態の底面図。
【図４】図１の４−４線に沿う拡大断面図。
【図５】本発明を実施するための最良の第１の形態のケース体の説明図。
【図６】本発明を実施するための最良の第１の形態の粗調整用ロータの説明図。
【図７】本発明を実施するための最良の第１の形態のクリックバネの説明図。
【図８】本発明を実施するための最良の第１の形態の微調整用ロータの説明図。
【図９】本発明を実施するための最良の第１の形態の微調整用素子基板の説明図。
【図１０】本発明を実施するための最良の第１の形態の粗調整用素子基板の説明図。
【図１１】本発明を実施するための最良の第１の形態のケルビンバーレイ回路の説明図。
【図１２】本発明を実施するための最良の第１の形態の粗調整の説明図。
【図１３】本発明を実施するための最良の第１の形態の微調整の説明図。
【図１４】本発明を実施するための第２の形態の断面図。
【図１５】本発明を実施するための第２の形態の粗調整用素子基板の説明図。
【図１６】本発明を実施するための第２の形態のケルビンバーレイ回路の説明図。
【図１７】本発明を実施するための第３の形態の断面図。
【図１８】本発明を実施するための第３の形態の粗調整用素子基板の説明図。
【図１９】本発明を実施するための第３の形態のケルビンバーレイ回路の説明図。
【図２０】不感帯の説明図。
【符号の説明】
【００２１】
１、１Ａ、１Ｂ：可変抵抗器、
２：ケルビンバーレイ回路、    ３：透孔、
４：開口部、                        ５：ケース体、
６：操作摘み、                ７：微調整用ロータ収納孔、
８：粗調整用ロータ、          ９：クリック凹部、
１０：クリック凸部、          １１：クリックバネ、
１２：微調整カバー、          １３：係合部、
１４：微調整用ロータ、        １５：微調整接点、
１６：微調整抵抗、                  １７：微調整用素子基板、
１８：粗調整用接点、          １９：粗調整抵抗、
２０：粗調整用素子基板、            ２１：裏蓋、
２２：カバー体、              ２３：抵抗側端子、
２４：電極側端子、                  ２５：ガイド溝、
２６：ストッパー片、          ２７：シール用Ｏリング、
２８：シール用Ｏリング、
２９：微調整シールＯリング、
３０：目盛、                        ３１：目印、
３２：インジケータ、          ３３：導体、
３４：分割抵抗。
【図１】
2006108250.tif 000003
【図２】
2006108250.tif 000004
【図３】
2006108250.tif 000005
【図４】
2006108250.tif 000006
【図５】
2006108250.tif 000007
【図６】
2006108250.tif 000008
【図７】
2006108250.tif 000009
【図８】
2006108250.tif 000010
【図９】
2006108250.tif 000011
【図１０】
2006108250.tif 000012
【図１１】
2006108250.tif 000013
【図１２】
2006108250.tif 000014
【図１３】
2006108250.tif 000015
【図１４】
2006108250.tif 000016
【図１５】
2006108250.tif 000017
【図１６】
2006108250.tif 000018
【図１７】
2006108250.tif 000019
【図１８】
2006108250.tif 000020
【図１９】
2006108250.tif 000021
【図２０】
2006108250.tif 000022